(57)【要約】【課題】  電源投入時に液晶に不必要な電圧が印加されることを防いで、表示不具合を抑制する。【解決手段】  チャージポンプ回路１４Ａにより通常の電源電圧ＶＤＤを昇電圧した出力電圧ＧＶＤＤを表示駆動用の電圧として用いるアクティブマトリクス型液晶表示装置１０Ａにおいて、液晶パネル１１の表示開始タイミングに合わせて制御した駆動開始制御信号ＧＥＮをチャージポンプ回路１４Ａに入力し、表示期間ｂ前にチャージポンプ回路１４Ａを動作させないように停止制御する。これにより、表示期間ｂ前に補助容量Ｃｓの他方電極に出力電圧ＧＶＤＤが印加されない。【選択図】  図１
2005266017.tif 000002
【特許請求の範囲】
【請求項１】
複数の走査線と複数の信号線との各交叉部毎に画素部が配設され、該交叉部近傍の走査線がスイッチング素子の制御端子に接続され、該交叉部近傍の信号線が該スイッチング素子を介して該画素部に接続された表示部と、該表示部に、外部制御信号により電源電圧を所定の電圧に昇電圧して表示駆動用電圧として出力するチャージポンプ回路とを有するアクティブマトリクス型表示装置において、
該チャージポンプ回路に該外部制御信号を出力可能とする制御信号出力手段を有し、
初期化期間後の該表示部の表示期間開始タイミングに合わせて、該チャージポンプ回路から昇電圧出力が出力開始される構成としたアクティブマトリクス型表示装置。
【請求項２】
前記制御信号出力手段は、前記初期化期間後の表示部の表示期間開始タイミングに合わせて、該チャージポンプ回路に前記外部制御信号を出力開始可能とし、
該チャージポンプ回路は該外部制御信号に基づいて昇電圧出力を行う請求項１に記載のアクティブマトリクス型表示装置。
【請求項３】
前記制御信号出力手段は、該チャージポンプ回路に駆動開始制御信号を出力可能とし、
該チャージポンプ回路は、前記初期化期間後の表示部の表示期間開始タイミングに合わせて、該駆動開始制御信号に基づいて昇電圧出力を行う請求項１に記載のアクティブマトリクス型表示装置。
【請求項４】
前記制御信号出力手段は、前記表示開始タイミングまで、前記チャージポンプ回路に出力される外部制御信号を出力停止制御する出力制御部を有する請求項２に記載のアクティブマトリクス型表示装置。
【請求項５】
前記チャージポンプ回路は、前記駆動開始制御信号に基づいて前記表示開始タイミングまで昇電圧動作を停止制御する入力制御部を有する請求項３に記載のアクティブマトリクス型表示装置。
【請求項６】
前記チャージポンプ回路は、前記駆動開始制御信号に基づいて前記表示開始タイミングまで昇電圧出力を停止制御する出力制御部を有する請求項３に記載のアクティブマトリクス型表示装置。
【請求項７】
前記チャージポンプ回路は、
前記入力制御部が、入力される前記駆動開始制御信号の所定レベルにより、入力される前記外部制御信号を内部信号として出力し、
該内部信号により昇電圧動作を開始して昇電圧出力を行うチャージポンプ部を有する請求項５に記載のアクティブマトリクス型表示装置。
【請求項８】
前記チャージポンプ回路は、
前記外部制御信号により昇電圧動作を開始して昇電圧出力を行うチャージポンプ部を有し、  
前記出力制御部は、前記駆動開始制御信号および該昇電圧出力が入力されて該駆動開始制御信号の所定レベルに応じて該昇電圧の出力制御を行う請求項６に記載のアクティブマトリクス型表示装置。
【請求項９】
前記入力制御部は、前記駆動開始制御信号が”Ｌ”レベルおよび”Ｈ”レベルの一方のときに前記チャージポンプ部が非アクティブとなる信号を前記内部信号として該チャージポンプ部に出力し、該駆動開始制御信号が”Ｌ”レベルおよび”Ｈ”レベルの他方のときに前記外部制御信号をそのまま該内部信号として該チャージポンプ部に出力する請求項７に記載のアクティブマトリクス型表示装置。
【請求項１０】
前記出力制御部は、前記駆動開始制御信号が”Ｌ”レベルおよび”Ｈ”レベルの一方のときにグランドレベルの電圧を出力し、該駆動開始制御信号が”Ｌ”レベルおよび”Ｈ”レベルの他方のときに前記チャージポンプ部からの昇電圧出力をそのまま出力する請求項８に記載のアクティブマトリクス型表示装置。
【請求項１１】
前記入力制御部は、前記駆動開始制御信号が入力されるインバータと、該インバータからの出力および前記外部制御信号がそれぞれ入力されるアンドゲートとを有する請求項５、７および９のいずれかに記載のアクティブマトリクス型表示装置。
【請求項１２】
前記入力制御部は、前記駆動開始制御信号および外部制御信号が入力されるアンドゲートを有する請求項５、７および９のいずれかに記載のアクティブマトリクス型表示装置。
【請求項１３】
前記入力制御部は、前記駆動開始制御信号により入力を切り換えるスイッチング手段を有する請求項５、７および９のいずれかに記載のアクティブマトリクス型表示装置。
【請求項１４】
前記出力制御部は、前記駆動開始制御信号により入力を切り換えるスイッチング手段を有する請求項６、８および１０のいずれかに記載のアクティブマトリクス型表示装置。
【請求項１５】
前記出力制御部は、前記駆動開始制御信号および外部制御信号が入力されるアンドゲートを有する請求項６、８および１０のいずれかに記載のアクティブマトリクス型表示装置。
【請求項１６】
前記画素部は、前記スイッチング素子に対して画素容量部および補助容量部が並列接続されており、
前記表示部の表示期間、該補助容量部のスイッチング素子側とは反対側の電極に、前記チャージポンプ回路で昇電圧された出力電圧が印加されている請求項１に記載のアクティブマトリクス型表示装置。
【請求項１７】
前記表示部の初期化期間から該表示部の表示期間開始タイミングまで、前記補助容量部のスイッチング素子側とは反対側の電極に、前記画素容量部のスイッチング素子側とは反対側の対向電極に印加される対向電圧レベルと同じレベルの電圧が印加されている請求項１６に記載のアクティブマトリクス型表示装置。
【請求項１８】
前記複数の走査線を選択的に順次駆動する走査ドライバと、
前記複数の信号線を選択的に順次駆動する信号ドライバとを有する請求項１または１６に記載のアクティブマトリクス型表示装置。
【請求項１９】
初期化信号により前記走査ドライバの初期化動作を行う前記表示部の初期化期間直後または、該初期化期間後の非表示期間直後に前記表示期間を開始する請求項１８に記載のアクティブマトリクス型表示装置。
【請求項２０】
前記チャージポンプ回路で昇電圧された出力電圧は、前記走査ドライバから前記スイッチング素子への走査電圧としても用いられている請求項１８に記載のアクティブマトリクス型表示装置。
【請求項２１】
前記外部制御信号として、前記信号ドライバ用のクロック信号が用いられている請求項１８に記載のアクティブマトリクス型表示装置。
【請求項２２】
前記表示部、走査ドライバ、信号ドライバおよびチャージポンプ回路のうちの少なくともいずれかは、低温プロセスで作製されたポリシリコンを用いて基板上に形成されている請求項１８に記載のアクティブマトリクス型表示装置。
【請求項２３】
前記表示部の表示モードとして反射型表示モードを有する請求項１または２２に記載のアクティブマトリクス型表示装置。
【請求項２４】
外部制御信号により電源電圧を所定電圧に昇電圧開始して表示部に表示駆動用電圧として昇電圧を出力し、該表示部の初期化期間後に該表示部の表示動作を行うアクティブマトリクス型表示装置を駆動するアクティブマトリクス型表示装置の駆動方法において、
駆動開始制御信号により昇電圧動作または昇電圧出力の開始制御をして、該初期化期間後の該表示部の表示期間開始タイミングに合わせて表示駆動用に昇電圧出力を行うアクティブマトリクス型表示装置の駆動方法。
【請求項２５】
請求項１〜２３のいずれかに記載のアクティブマトリクス型表示装置を表示画面部に用いて画面表示可能とする電子情報機器。
【発明の詳細な説明】
【技術分野】
【０００１】
本発明は、複数の走査配線と複数の信号配線との各交叉部毎に画素部が配設され、この交叉部近傍の走査配線がスイッチング素子の制御端子に接続され、この交叉部近傍の信号配線がスイッチング素子を介して画素部に接続された表示部と、この表示部に、電源電圧を所定の電圧に昇電圧して表示駆動用電圧として出力するチャージポンプ回路とを有したアクティブマトリクス型液晶表示装置などのアクティブマトリクス型表示装置およびその駆動方法、これらを各種表示画面部に用いた例えば携帯電話装置、液晶テレビジョンおよびパーソナルコンピュータなどの電子情報機器に関する。
【背景技術】
【０００２】
従来、この種の液晶表示装置として、ＴＦＴ（Ｔｈｉｎ  Ｆｉｌｍ  Ｔｒａｎｓｉｓｔｅｒ；薄膜トランジスタ）を用いたアクティブマトリクス駆動方式の液晶表示装置（アクティブマトリクス型液晶表示装置）が知られている。
【０００３】
図１１は、従来のアクティブマトリクス型液晶表示装置の要部構成例を示すブロック図である。
【０００４】
図１１に示すように、従来のアクティブマトリクス型液晶表示装置１０は、複数の画素部がマトリクス状に配列された表示画面部を構成する液晶パネル１と、これを表示制御する制御信号として初期化信号ＩＮＩおよび外部制御信号ＳＣＫを出力する制御信号出力回路２とを有している。
【０００５】
液晶パネル１は、各画素部毎に、スイッチング素子（ＴＦＴ）および画素電極ＶＤが設けたれたアクティブマトリクス基板（ＴＦＴ基板）と、このアクティブマトリクス基板に対向して配設され、対向電極ＶＣＯＭを備えた対向基板（図示せず）とを有し、両基板の間に表示媒体として液晶材料が挟持されたアクティブマトリクス型の液晶表示部１１が中央部に設けられ、その周辺部に、データドライバ１２と、ゲートドライバ１３と、チャージポンプ回路１４とが設けられている。
【０００６】
液晶表示部１１は、複数のデータライン（信号線）１１１と複数のゲートライン（走査線）１１２とが、互いに交叉（または直交）するように配設されており、この交叉部毎に画素部Ｃｘｙ（Ｃ１１、Ｃ１２、ｍ・・・、Ｃｘ１、・・・、Ｃｙ１、・・・、Ｃｘｙ、以下、画素部Ｃという）が設けられている。データライン１１１は、液晶パネル１内で各ＴＦＴを介して画素電極ＶＤから液晶層に表示電圧を与えるための信号ラインであり、ゲートライン１１２は、液晶パネル１内で画素電極ＶＤに接続されたＴＦＴをＯＮ／ＯＦＦするための走査信号ラインである。
【０００７】
各画素部Ｃは、画素電極ＶＤと対向電極ＶＣＯＭとの間に液晶材料が挟持されて画素容量が構成されており、マトリクス状に複数配置されている。この画素部Ｃの画素電極ＶＤは、液晶駆動用ＴＦＴｘｙ（以下、ＴＦＴという）を介して、データライン１１１とゲートライン１１２とに接続されている。すなわち、ＴＦＴのゲート領域（ゲート電極）は交叉部近傍のゲートライン１１２に接続され、そのソース領域（ソース電極）は交叉部近傍のデータライン１１１に接続され、そのドレイン領域（ドレイン電極）は画素電極ＶＤに接続されている。
【０００８】
さらに、画素部Ｃには、画素容量の他に、ＴＦＴ側が補助容量Ｃｓｘｙ（以下、補助容量Ｃｓと言う）の一方電極とも接続されており、補助容量ＣｓはＴＦＴと反対側が電圧ＧＶＤＤが印加される他方電極と接続されている。
【０００９】
データドライバ１２は、表示信号を選択的に出力することにより各データライン１１１を順次駆動する。
【００１０】
ゲートドライバ１３は、走査信号を選択的に出力することにより各ゲートライン１１２を順次駆動する。
【００１１】
チャージポンプ回路１４では、入力される電源電圧ＶＤＤが、制御信号出力部２からの外部制御信号ＳＣＫのタイミングで昇電圧され、出力電圧ＧＶＤＤが生成されて出力される。この出力電圧ＧＶＤＤは、補助容量Ｃｓ以外に、ゲートドライバ１３にも入力されており、出力電圧ＧＶＤＤがＴＦＴをＯＮするためのスイッチング電圧（走査電圧）としても用いられている。
【００１２】
以上の液晶パネル１においては、低温プロセスにより作製されたポリシリコンを用いて、図１１に示すような回路構成を各々１枚のガラス基板上に構成したアクティブマトリクス基板（ＴＦＴ基板）および対向基板とすることが可能である。この場合に、制御信号出力回路２についても、液晶パネル１内に設けることができる。
【００１３】
なお、補助容量Ｃｓの他方電極を、電圧ＧＶＤＤなどの高い電圧供給部に接続する従来技術として、例えば特許文献１には、補助容量Ｃｓを最大容量値付近で用いるために、一番電圧が高い電圧ＧＶＤＤを補助容量Ｃｓの他方電極に接続することが記載されている。また、上記図１１に示す回路構成のように、液晶表示部１１と同一ガラス基板（ＴＦＴ基板）上にチャージポンプ回路１４を形成する従来技術として、例えば特許文献２には、ガラス基板上の薄膜トランジスタと外付け容量素子とによってＤＣ／ＤＣコンバータを構成することが記載されている。
【００１４】
上記構成により、以下に、従来のアクティブマトリクス型液晶表示装置１０の動作について説明する。
【００１５】
図１２は、図１１の制御信号出力回路２から液晶パネル１に出力される各制御信号電圧、電源電圧、チャージポンプ回路１４の出力電圧の信号波形図である。図１２では、入力電源電圧ＶＤＤ、初期化信号ＩＮＩ、外部制御信号ＳＣＫおよびチャージポンプ回路１４からの出力電圧ＧＶＤＤについて、電源投入時に入力電源電圧ＶＤＤがＧＮＤレベルより所定の電源電圧まで上昇し、実際に液晶表示が開始されるまでの期間を示している。
【００１６】
図１２に示すように、入力電源電圧ＶＤＤがＧＮＤレベルから所定の電源電圧レベルまで上昇する際に、まず、制御信号出力回路２からゲートドライバ１３への初期化信号ＩＮＩが立ち上げられる。この初期化信号ＩＮＩは、ゲートドライバ１３の初期化などに利用される。この初期化信号ＩＮＩが“Ｈ”レベルである期間を初期化期間ａという。この初期化期間ａでは、データドライバ１２およびゲートドライバ１３は動作されないため、液晶表示部１１は動作されておらず、液晶表示は行われない。
【００１７】
次に、初期化期間ａの途中から、制御信号出力回路２からチャージポンプ回路１４に外部制御信号ＳＣＫが入力されることにより、チャージポンプ回路１４の駆動が開始され、チャージポンプ回路１４からの出力電圧ＧＶＤＤが所定時間後に安定した電圧レベルに達する。
【００１８】
その後、初期化信号ＩＮＩが立ち下げられて初期化期間ａが終わった後、各種の液晶駆動用信号（図示せず）が液晶パネル１内のデータドライバ１２およびゲートドライバ１３などに入力され、液晶表示部１１に所望の表示が開始される。この期間を表示期間ｂという。
【００１９】
なお、上記初期化期間ａと外部制御信号ＳＣＫの開始タイミングについては、外部制御信号ＳＣＫの開始タイミングからチャージポンプ回路１４の出力電圧ＧＶＤＤが安定するまでが初期化期間ａであればよく、チャージポンプ回路１４の特性によって、任意に設定することが可能である。また、初期化期間ａの開始後、すぐに外部制御信号ＳＣＫを開始させることも可能であるが、本発明とは特に関係がなく、説明を簡略化するために、ここではその説明を省略している。さらに、表示期間ｂでのデータドライバ１２およびゲートドライバ１３の駆動方法や、チャージポンプ回路１４の詳細動作などについても、本発明とは直接関係がなく、その説明を簡略化するために、ここではその説明を省略している。
【特許文献１】特開平３−１４９５２０号公報
【特許文献２】特開２００１−１８３７０２号公報
【発明の開示】
【発明が解決しようとする課題】
【００２０】
上記従来の液晶表示装置において、液晶は自発光素子ではないため、液晶表示部１１が透過型である場合には、バックライト（図示せず）が液晶パネル１の背面に搭載され、その光を液晶層にて遮光するか、遮光しないか（透過させるか）によって、画像が表示されるようになっている。この場合には、バックライトが点灯されていないと、液晶表示部１１は黒表示状態のままである。このため、透過型液晶パネルでは、電源電圧ＶＤＤの投入以降、表示期間ｂになって液晶表示が行われるまでは、バックライトが点灯されずに黒表示とされ、液晶表示部２において安定表示が開始されてからバックライトが点灯されるようになっている。
【００２１】
しかしながら、反射型や微反射型、または半透過型と言われる反射型表示モードを有する液晶パネルでは、バックライトを用いなくても、外光のみによって液晶表示を行うことが可能である。したがって、反射型表示モードを有する液晶パネルの場合、透過型と同様にバックライトによる制御を行っても、バックライトが点灯される前に液晶パネルの表示を目視にて確認することができる。この場合に生じる問題について、以下に説明する。
【００２２】
図１３は、図１１の画素部の基本構成例を示す回路図であり、図１４は、初期化期間ａにおける従来の液晶パネルの動作を説明するための各部の電圧レベルを示す図である。
【００２３】
図１３に示すように、データライン１１１にソース電極が接続されているＴＦＴのドレイン電極側には、画素電極ＶＤとこれに液晶材料を介して対向する対向電極ＶＣＯＭとの間の表示電圧によって発生する電荷Ｑ１と、補助容量Ｃｓの一方電極の電圧と他方電極の電圧ＧＶＤＤとによって発生する電荷Ｑ２とが存在する。
【００２４】
ここで、初期化期間ａの状態について考えると、ＴＦＴはＯＦＦ状態であり、対向電極ＶＣＯＭの電位はＧＮＤレベルである。このため、電荷Ｑ１は「０」であるが、電荷Ｑ２は電圧ＧＶＤＤによって発生している。このとき、ＴＦＴがＯＦＦ状態であり、補助容量Ｃｓから液晶容量Ｃｌｃに至る直列接続が形成されていると考えることが可能であるため、電荷量Ｑ（Ｑ１＝Ｑ２）は、液晶容量（画素容量）Ｃｘｙの容量値をＣｌｃ、補助容量Ｃｓの容量値をＣｃｓとすると、
【００２５】
【数１】
2005266017.tif 000003
【００２６】
によって表すことができる。また、その際の液晶印加電圧Ｖは、
【００２７】
【数２】
2005266017.tif 000004
【００２８】
となる。
【００２９】
図１４において、この場合の各画素部の液晶印加電圧Ｖを実線で表わし、その変動範囲を点線で表わしている。
【００３０】
例えば液晶容量値Ｃｌｃと補助容量値Ｃｃｓとが同じ値（Ｑ１＝Ｑ２）である場合には、画素部Ｃｘｙの液晶容量値Ｃｌｃには電圧ＧＶＤＤの１／２の電圧が印加されることになる。ここで、例えばＴＮ液晶を用いた場合には、画素部Ｃｘｙに電圧を印加することによって黒表示が行われる。このため、電圧ＧＶＤＤの値が大きいほど、補助容量値Ｃｃｓが液晶容量値Ｃｌｃよりも大きいほど、画素部Ｃｘｙに大きな電圧が印加され、液晶表示部１１の液晶表示が黒くなる傾向にある。このため、初期化期間ａであるにも関わらず、液晶表示部１１では何らかの表示が行われることになる。
【００３１】
なお、液晶容量値Ｃｌｃと補助容量値Ｃｃｓとは、製造プロセスのばらつきや表示面内のばらつきなどによって、一様の値になっている訳ではなく、実際には画素部単位でばらついている。このため、図１４に電圧Ｖの点線で示すように、各画素部Ｃｘｙの液晶に印加される電圧Ｖは、全て同じではなく、結果的に表示面内にて明暗が発生するなど、表示ばらつきが確認されることがある。
【００３２】
また、実際のＴＦＴは、完璧なスイッチング素子ではなく、ＯＦＦ状態であっても電流が流れている。特に、低温プロセスで作製されるポリシリコンを用いたＴＦＴなどでは、その傾向が顕著である。このため、液晶容量Ｃｌｃと補助容量ＣｓからＴＦＴを介してデータライン１１１に電流が流れ、電荷が抜けていくという現象が発生する。このため、実際に安定化される電圧レベルは、上記式２に示す値とは若干ずれることになる。
【００３３】
このＴＦＴのＯＦＦ状態の抵抗値についてもばらつきがあるため、電荷の抜け方に差が発生し、画素部Ｃｘｙに印加される電圧Ｖもばらついて、表示面内の輝度ばらつきが発生する。また、ＯＰＥＮ状態であるはずのデータライン１１１に対して電荷が供給されていることになるため、そのデータライン１１１を介して電荷がやり取りされることによって、データライン単位ですじのような表示が見えることがある。さらに、実際の液晶パネル１では、その他に様々な寄生容量や寄生抵抗があるため、これらのばらつきや電流経路によって、様々な表示状態になると考えられる。
【００３４】
上記特許文献１には、電圧ＧＶＤＤの開始タイミングに関する記述はなく、特許文献２には、ＤＣ／ＤＣコンバータの動作開始タイミングに関する記述は見られない。
【００３５】
本発明は、上記従来の問題を解決するもので、電源投入時に表示媒体に不要な電圧が印加されることによる表示ムラやスジなどの表示不具合を抑制できるアクティブマトリクス型表示装置およびその駆動方法、これを表示画面部に用いた電子情報機器を提供することを目的とする。
【課題を解決するための手段】
【００３６】
本発明のアクティブマトリクス型表示装置は、複数の走査線と複数の信号線との各交叉部毎に画素部が配設され、該交叉部近傍の走査線がスイッチング素子の制御端子に接続され、該交叉部近傍の信号線が該スイッチング素子を介して該画素部に接続された表示部と、該表示部に、外部制御信号により電源電圧を所定の電圧に昇電圧して表示駆動用電圧として出力するチャージポンプ回路とを有するアクティブマトリクス型表示装置において、該チャージポンプ回路に該外部制御信号を出力可能とする制御信号出力手段を有し、初期化期間後の該表示部の表示期間開始タイミングに合わせて、該チャージポンプ回路から昇電圧出力が出力開始される構成とし、そのことにより上記目的が達成される。
【００３７】
また、好ましくは、本発明のアクティブマトリクス型表示装置における制御信号出力手段は、前記初期化期間後の表示部の表示期間開始タイミングに合わせて、該チャージポンプ回路に前記外部制御信号を出力開始可能とし、該チャージポンプ回路は該外部制御信号に基づいて昇電圧出力を行う。
【００３８】
さらに、好ましくは、本発明のアクティブマトリクス型表示装置における制御信号出力手段は、該チャージポンプ回路に駆動開始制御信号を出力可能とし、該チャージポンプ回路は、前記初期化期間後の前記表示部の表示期間開始タイミングに合わせて、該駆動開始制御信号に基づいて昇電圧出力を行う。
【００３９】
さらに、好ましくは、本発明のアクティブマトリクス型表示装置における制御信号出力手段は、前記表示開始タイミングまで、前記チャージポンプ回路に出力される外部制御信号を出力停止制御する出力制御部を有する。
【００４０】
さらに、好ましくは、本発明のアクティブマトリクス型表示装置におけるチャージポンプ回路は、前記駆動開始制御信号に基づいて前記表示開始タイミングまで昇電圧動作を停止制御する入力制御部を有する。
【００４１】
さらに、好ましくは、本発明のアクティブマトリクス型表示装置におけるチャージポンプ回路は、前記駆動開始制御信号に基づいて前記表示開始タイミングまで昇電圧出力を停止制御する出力制御部を有する。
【００４２】
さらに、好ましくは、本発明のアクティブマトリクス型表示装置におけるチャージポンプ回路は、前記入力制御部が、入力される前記駆動開始制御信号の所定レベルにより、入力される前記外部制御信号を内部信号として出力し、
該内部信号により昇電圧動作を開始して昇電圧出力を行うチャージポンプ部を有する。
【００４３】
さらに、好ましくは、本発明のアクティブマトリクス型表示装置におけるチャージポンプ回路は、前記外部制御信号により昇電圧動作を開始して昇電圧出力を行うチャージポンプ部を有し、前記出力制御部は、前記駆動開始制御信号および該昇電圧出力が入力されて該駆動開始制御信号の所定レベルに応じて該昇電圧の出力制御を行う。
【００４４】
さらに、好ましくは、本発明のアクティブマトリクス型表示装置における入力制御部は、前記駆動開始制御信号が”Ｌ”レベルおよび”Ｈ”レベルの一方のときに前記チャージポンプ部が非アクティブとなる信号を前記内部信号として該チャージポンプ部に出力し、該駆動開始制御信号が”Ｌ”レベルおよび”Ｈ”レベルの他方のときに前記外部制御信号をそのまま該内部信号として該チャージポンプ部に出力する。
【００４５】
さらに、好ましくは、本発明のアクティブマトリクス型表示装置における出力制御部は、前記駆動開始制御信号が”Ｌ”レベルおよび”Ｈ”レベルの一方のときにグランドレベルの電圧を出力し、該駆動開始制御信号が”Ｌ”レベルおよび”Ｈ”レベルの他方のときに前記チャージポンプ部からの昇電圧出力をそのまま出力する。
【００４６】
さらに、好ましくは、本発明のアクティブマトリクス型表示装置における入力制御部は、前記駆動開始制御信号が入力されるインバータと、該インバータからの出力および前記外部制御信号がそれぞれ入力されるアンドゲートとを有する。
【００４７】
さらに、好ましくは、本発明のアクティブマトリクス型表示装置における入力制御部は、前記駆動開始制御信号および外部制御信号が入力されるアンドゲートを有する。
【００４８】
さらに、好ましくは、本発明のアクティブマトリクス型表示装置における入力制御部は、前記駆動開始制御信号により入力を切り換えるスイッチング手段を有する。
【００４９】
さらに、好ましくは、本発明のアクティブマトリクス型表示装置における出力制御部は、前記駆動開始制御信号により入力を切り換えるスイッチング手段を有する。
【００５０】
さらに、好ましくは、本発明のアクティブマトリクス型表示装置における出力制御部は、前記駆動開始制御信号および外部制御信号が入力されるアンドゲートを有する。
【００５１】
さらに、好ましくは、本発明のアクティブマトリクス型表示装置における画素部は、前記スイッチング素子に対して画素容量部および補助容量部が並列接続されており、前記表示部の表示期間、該補助容量部のスイッチング素子側とは反対側の電極に、前記チャージポンプ回路で昇電圧された出力電圧が印加されている。
【００５２】
さらに、好ましくは、本発明のアクティブマトリクス型表示装置における表示部の初期化期間から該表示部の表示期間開始タイミングまで、前記補助容量部のスイッチング素子側とは反対側の電極に、前記画素容量部のスイッチング素子側とは反対側の対向電極に印加される対向電圧レベルと同じレベルの電圧が印加されている。
【００５３】
さらに、好ましくは、本発明のアクティブマトリクス型表示装置において、複数の走査線を選択的に順次駆動する走査ドライバと、前記複数の信号線を選択的に順次駆動する信号ドライバとを有する。
【００５４】
さらに、好ましくは、本発明のアクティブマトリクス型表示装置において、初期化信号により前記走査ドライバの初期化動作を行う前記表示部の初期化期間直後または、該初期化期間後の非表示期間直後に前記表示期間を開始する。
【００５５】
さらに、好ましくは、本発明のアクティブマトリクス型表示装置におけるチャージポンプ回路で昇電圧された出力電圧は、前記走査ドライバから前記スイッチング素子への走査電圧としても用いられている。
【００５６】
さらに、好ましくは、本発明のアクティブマトリクス型表示装置における外部制御信号として、前記信号ドライバ用のクロック信号が用いられている。
【００５７】
さらに、好ましくは、本発明のアクティブマトリクス型表示装置における表示部、走査ドライバ、信号ドライバおよびチャージポンプ回路のうちの少なくともいずれかは、低温プロセスで作製されたポリシリコンを用いて基板上に形成されている。
【００５８】
さらに、好ましくは、本発明のアクティブマトリクス型表示装置における表示部の表示モードとして反射型表示モードを有する。
【００５９】
本発明の表示装置の駆動方法は、外部制御信号により電源電圧を所定電圧に昇電圧開始して表示部に表示駆動用電圧として昇電圧を出力し、該表示部の初期化期間後に該表示部の表示動作を行うアクティブマトリクス型表示装置を駆動するアクティブマトリクス型表示装置の駆動方法において、駆動開始制御信号により昇電圧動作または昇電圧出力の開始制御をして、該初期化期間後の該表示部の表示期間開始タイミングに合わせて表示駆動用に昇電圧出力を行い、そのことにより上記目的が達成される。
【００６０】
本発明の電子情報機器は、請求項１〜２３のいずれかに記載のアクティブマトリクス型表示装置を表示画面部に用いて画面表示可能とするものであり、そのことにより上記目的が達成される。
【００６１】
上記構成により、以下に、本発明の作用について説明する。 
【００６２】
本発明にあっては、ＴＦＴのＯＮ電圧（走査電圧）などに用いられる昇圧出力電圧ＧＶＤＤを生成するための昇電圧回路としてチャージポンプ回路を備えた表示装置において、昇圧出力電圧ＧＶＤＤの出力開始タイミングを表示部の表示開始タイミングに合わせて制御した駆動開始制御信号ＧＥＮをチャージポンプ回路に供給して、表示期間ｂ前の初期化期間ａや非表示期間ｃにチャージポンプ回路を動作させないように制御する。または、その駆動開始制御信号ＧＥＮをチャージポンプ回路に供給して、表示期間ｂ前の初期化期間ａや非表示期間ｃにチャージポンプ回路から電圧ＧＶＤＤを出力させないように制御する。  さらに、制御信号出力手段内において、初期化期間後の該表示部の表示期間開始タイミングに合わせて、チャージポンプ回路に外部制御信号を出力開始するようにしてもよい。
【００６３】
これにより、表示期間前に補助容量Ｃｓに電圧ＧＶＤＤが印加されないようにすることができるため、電源投入時に液晶層などの表示媒体に不必要な電圧が印加されることを防いで、表示部の表示ムラやスジなどの表示不具合を抑制することが可能となる。
【発明の効果】
【００６４】
以上により、初期化期間後の該表示部の表示期間開始タイミングに合わせて、チャージポンプ回路から昇電圧出力が出力開始されれば、電源投入時に、表示期間前に補助容量Ｃｓを介して液晶容量Ｃｌｃに不必要な電圧がかからないようにすることができるため、表示媒体に不要な電圧が印加されることによる表示ムラやスジなど、不具合な画面表示を回避することができる。
【発明を実施するための最良の形態】
【００６５】
以下に、本発明のアクティブマトリクス型表示装置およびその駆動方法の実施形態１，２を、アクティブマトリクス型液晶表示装置およびその駆動方法に適用した場合について説明する。
（実施形態１）
図１は、本発明のアクティブマトリクス型液晶表示装置の実施形態１における要部構成例を示すブロック図であり、図２は、図１のチャージポンプ回路１４Ａの内部構成例を示すブロック図である。なお、図１において、図１１の構成部材と同一の作用効果を奏する部材には同一の符号を付してその説明を省略する。
【００６６】
図１に示すように、アクティブマトリクス型液晶表示装置１０Ａは、表示画面部を構成する液晶パネル１Ａと、これを表示制御する制御信号として、初期化信号ＩＮＩ、駆動開始制御信号ＧＥＮおよび外部制御信号ＳＣＫ（クロック信号）を出力する制御信号出力手段としての制御信号出力回路２Ａとを有している。
【００６７】
本実施形態１のアクティブマトリクス型液晶表示装置１０Ａが従来のアクティブマトリクス型液晶表示装置１０と異なる点は、駆動開始制御信号ＧＥＮによって、液晶表示部１１の表示期間ｂの開始タイミングまでチャージポンプ動作（昇電圧動作）を停止制御するチャージポンプ回路１４Ａを設けた点である。
【００６８】
チャージポンプ回路１４Ａは、図２に示すように、入力制御信号として外部制御信号ＳＣＫおよび駆動開始制御信号ＧＥＮが入力されて内部信号Ｃｉｎを出力する入力制御部１４１と、この内部信号Ｃｉｎに基づいて電源電圧ＶＤＤを昇電圧するチャージポンプ動作を開始するチャージポンプ部１４２とを有している。
【００６９】
入力制御部１４１は、例えば駆動開始制御信号ＧＥＮが“Ｌ”レベルであるときに、チャージポンプ部１４２が非アクティブとなるように、内部信号Ｃｉｎとして“Ｌ”レベルが出力されるように構成されている。また、入力制御部１４１は、駆動開始制御信号ＧＥＮが“Ｈ”レベルであるときには、外部制御信号ＳＣＫがそのままチャージポンプ部１４２に出力されるように構成されている。
【００７０】
図３は、図２の入力制御部１４１の内部構成例を示す回路図である。
【００７１】
図３に示すように、入力制御部１４１はアンドゲート１４１ａを有している。
【００７２】
アンドゲート１４１ａにおいて、駆動開始制御信号ＧＥＮが“Ｈ”レベルであるときには、外部制御信号ＳＣＫが“Ｌ”レベルであるときには“Ｌ”レベルの内部信号Ｃｉｎが出力され、外部制御信号ＳＣＫが“Ｈ”レベルであるときには“Ｈ”レベルの内部信号Ｃｉｎが出力される。また、駆動開始制御信号ＧＥＮが“Ｌ”レベルであるときには、外部制御信号ＳＣＫが“Ｌ”レベルであっても“Ｈ”レベルであっても、“Ｌ”レベルの内部信号Ｃｉｎしか出力されない。
【００７３】
上記構成により、本実施形態１のアクティブマトリクス型液晶表示装置１０Ａの動作について説明する。
【００７４】
図４は、図１の制御信号出力部２Ａから液晶パネル１Ａに出力される各信号電圧、電源電圧、図２のチャージポンプ回路１４Ａの内部信号Ｃｉｎおよび出力電圧ＧＶＤＤの信号波形図である。図４では、入力電源電圧ＶＤＤ、初期化信号ＩＮＩ、外部制御信号ＳＣＫ、駆動開始制御信号ＧＥＮ、内部信号Ｃｉｎおよび出力電圧ＧＶＤＤについて、電源投入時に、入力電源電圧ＶＤＤがＧＮＤレベル（接地電圧）より所定の電源電圧まで上昇し、実際に液晶表示が開始されるまでの期間の各信号波形を示している。
【００７５】
図４に示すように、入力電源電圧ＶＤＤがＧＮＤレベル（接地レベル）から所定の電圧値まで上昇する際に、まず、初期化信号ＩＮＩが立ち上げられて制御信号出力回路２Ａからゲートドライバ１３に出力される。
【００７６】
所定時間後、外部制御信号ＳＣＫが立ち上げられて制御信号出力回路２Ａからチャージポンプ回路１４Ａの入力制御部１４１に入力される。初期化信号ＩＮＩが立ち下げられて初期化期間ａが終了してから所定の非表示期間ｃが経過後、表示期間ｂの開始タイミングに合わせて、駆動開始制御信号ＧＥＮが立ち上げられて制御信号出力回路２Ａからチャージポンプ回路１４Ａの入力制御部１４１に出力される。
【００７７】
入力制御部１４１では、例えば駆動開始制御信号ＧＥＮが“Ｌ”レベルであるときに、チャージポンプ部１４２が非アクティブとなるように、内部信号Ｃｉｎとして“Ｌ”レベルが出力される。したがって、駆動開始制御信号ＧＥＮが“Ｌ”レベルである期間は、外部制御信号ＳＣＫが入力されても、チャージポンプ部１４２に出力される内部信号Ｃｉｎは“Ｌ”レベルであって、チャージポンプ部１４２は動作しない。
【００７８】
また、入力制御部１４１では、駆動開始制御信号ＧＥＮが“Ｈ”レベルであるときに、外部制御信号ＳＣＫがそのまま内部信号Ｃｉｎとして出力される。よって、チャージポンプ部１４２は、駆動開始制御信号ＧＥＮの立ち上がり（表示期間ｂの開始タイミング）時に動作を開始し、出力電圧ＧＶＤＤが立ち上げられて出力される。
【００７９】
これにより、初期化期間ａおよび非表示期間ｃでは、チャージポンプ回路１４Ａからの出力電圧ＧＶＤＤはＧＮＤレベルであり、補助容量Ｃｓを介して画素部（液晶容量）Ｃｘｙに不要な電圧が印加されることはない。また、表示期間ｂでは、データドライバ１２やゲートドライバ１３が駆動されており、画素部（液晶容量）ＣｘｙにＴＦＴを介して所望の表示電圧が印加されるため、チャージポンプ回路１４Ａからの出力電圧ＧＶＤＤが所定の電圧となって、補助容量ＣｓのＴＦＴ側とは反対側の電極に印加されても何ら問題は生じない。従来技術のように初期化期間ａおよび非表示期間ｃに画素部（液晶容量）Ｃｘｙに不必要な電圧（表示電圧以外の電圧）が印加されることがないため、従来のような表示ムラやスジなどが表示画面上に現れることはなく、良好な表示状態とすることができる。
（実施形態２）
図５は、本発明のアクティブマトリクス型液晶表示装置の実施形態２における要部構成例を示すブロック図であり、図６は、図５のチャージポンプ回路１４Ｂの内部構成例を示すブロック図である。なお、図５において、図１１の構成部材と同一の作用効果を奏する部材には同一の符号を付してその説明を省略する。
【００８０】
図５に示すように、アクティブマトリクス型液晶表示装置１０Ｂは、複数の画素部がマトリクス状に配置された表示画面部を構成する液晶パネル１Ｂと、これを表示制御する制御信号として、初期化信号ＩＮＩ、駆動開始制御信号ＧＥＮおよび外部制御信号ＳＣＫを出力する制御信号出力手段としての制御信号出力部２Ｂとを有している。
【００８１】
本実施形態２のアクティブマトリクス型液晶表示装置１０Ｂが従来のアクティブマトリクス型液晶表示装置１０と異なる点は、駆動開始制御信号ＧＥＮによって、液晶表示部１１の表示期間ｂの開始タイミングまで昇電圧出力を停止制御するチャージポンプ回路１４Ｂを設けた点である。
【００８２】
チャージポンプ回路１４Ｂは、図６に示すように、入力された外部制御信号ＳＣＫに基づいて、電源電圧ＶＤＤを所定の電源電圧に昇電圧するチャージポンプ動作を開始して電圧Ｃｏｕｔを出力するチャージポンプ部１４２と、駆動開始制御信号ＧＥＮおよびチャージポンプ部１４２からの出力電圧Ｃｏｕｔが入力されて、駆動開始制御信号ＧＥＮの所定レベルに応じて電圧Ｃｏｕｔを出力電圧ＧＶＤＤとして出力制御する出力制御部１４３とを有している。
【００８３】
出力制御部１４３は、例えば駆動開始制御信号ＧＥＮが“Ｌ”レベルであるときにＧＮＤレベル（接地レベル；０Ｖ）が出力されるように構成されている。また、出力制御部１４３は、駆動開始制御信号ＧＥＮが“Ｈ”レベルであるときに、電圧Ｃｏｕｔが出力電圧ＧＶＤＤ（昇電圧された所定の電源電圧）として出力されるように構成されている。
【００８４】
図７は、図６の出力制御部１４３の内部構成例を示す回路図である。
【００８５】
図７に示すように、出力制御部１４３はスイッチング手段（制御スイッチ）１４３ａを有している。
【００８６】
このスイッチング手段１４３ａは、駆動開始制御信号ＧＥＮによって切り換えられ、駆動開始制御信号ＧＥＮが“Ｌ”レベルであるときにはＧＮＤレベルに接点が接続し、電圧ＧＶＤＤとしてＧＮＤレベルが出力される。また、駆動開始制御信号ＧＥＮが“Ｈ”レベルであるときには、スイッチング手段１４３ａが切り換えられて電圧Ｃｏｕｔの接点に接続され、電圧Ｃｏｕｔが電圧ＧＶＤＤとして出力される。
【００８７】
上記構成により、本実施形態２のアクティブマトリクス型液晶表示装置１０Ｂの動作について説明する。
【００８８】
図８は、図５の制御信号出力部２Ｂから液晶パネル１Ｂに入力される各信号電圧、電源電圧、図６のチャージポンプ回路１４Ｂの電圧Ｃｏｕｔおよび出力電圧ＧＶＤＤの信号波形図である。図８では、入力電源電圧ＶＤＤ、初期化信号ＩＮＩ、外部制御信号ＳＣＫ、駆動開始制御信号ＧＥＮ、電圧Ｃｏｕｔおよび出力電圧ＧＶＤＤについて、電源投入時に、入力電源電圧ＶＤＤがＧＮＤレベル（接地電圧）より所定の電源電圧まで上昇し、実際に液晶表示が開始されるまでの期間の各信号波形を示している。
【００８９】
図８に示すように、入力電源電圧ＶＤＤがＧＮＤレベル（接地レベル）から所定の電圧値まで上昇する際に、まず、初期化信号ＩＮＩが立ち上げられて制御信号出力回路２Ｂからゲートドライバ１３に出力される。
【００９０】
所定時間後、外部制御信号ＳＣＫが立ち上げられて制御信号出力回路２Ｂからチャージポンプ回路１４Ｂのチャージポンプ部１４２に出力され、チャージポンプ部１４２から出力電圧Ｃｏｕｔが出力制御部１４３に入力される。初期化信号ＩＮＩが立ち下げられて初期化期間ａが終了してから所定の非表示期間ｃが経過後、表示期間ｂの開始タイミングに合わせて、駆動開始制御信号ＧＥＮが立ち上げられて制御信号出力回路２Ｂからチャージポンプ回路１４Ｂの出力制御部１４３に出力される。
【００９１】
出力制御部１４３では、例えば駆動開始制御信号ＧＥＮが“Ｌ”レベルであるときに、ＧＮＤレベル（接地レベル；０Ｖ）が出力される。したがって、駆動開始制御信号ＧＥＮが“Ｌ”レベルである期間は、外部制御信号ＳＣＫがチャージポンプ回路１４Ｂに入力されていても、チャージポンプ部１４２からの昇電圧出力は停止制御されている。
【００９２】
また、出力制御部１４３では、駆動開始制御信号ＧＥＮが“Ｈ”レベルであるときに、電圧Ｃｏｕｔが出力電圧ＧＶＤＤ（昇電圧された所定の電源電圧）として選択出力される。よって、チャージポンプ回路１４Ｂでは、駆動開始制御信号ＧＥＮの立ち上がり（表示期間ｂの開始タイミング）までは出力電圧ＧＶＤＤが出力停止された状態で、駆動開始制御信号ＧＥＮの立ち上がり時に出力電圧ＧＶＤＤが出力開始される。
【００９３】
これにより、初期化期間ａおよび非表示期間ｃでは、チャージポンプ回路１４Ｂからの出力電圧ＧＶＤＤはＧＮＤレベルであり、補助容量Ｃｓを介して画素部（液晶容量）Ｃｘｙに電圧が印加されることはない。また、表示期間ｂでは、データドライバ１２やゲートドライバ１３が駆動されており、画素部（液晶容量）ＣｘｙにＴＦＴを介して所望の表示電圧が印加されるため、チャージポンプ回路１４Ｂからの出力電圧ＧＶＤＤが所定の電圧となって、補助容量ＣｓのＴＦＴ側とは反対側の電極に印加されても何ら問題は生じない。従来技術のように初期化期間ａおよび非表示期間ｃに画素部（液晶容量）Ｃｘｙに不必要な電圧（表示電圧以外の電圧）が印加されることがないため、従来のような表示ムラやスジなどが表示画面上に現れることはなく、良好な表示状態とすることができる。
【００９４】
なお、上記実施形態１，２において、表示期間ｂ開始までの初期化期間ａや非表示期間ｃで、対向電極ＶＣＯＭの対向電圧と、補助容量部のＴＦＴ側とは反対側の電極電圧ＧＶＤＤとに電位差が発生することが不具合の原因であることから、対向電極ＶＣＯＭの電圧と、補助容量部のＴＦＴ側とは反対側の電極電圧ＧＶＤＤとは同電位とする必要があり、例えば対向電極ＶＣＯＭの対向電圧がＧＮＤレベル（接地レベル；０Ｖ）であれば、補助容量部のＴＦＴ側とは反対側の電極電圧ＧＶＤＤもＧＮＤレベル（接地レベル；０Ｖ）とすることが必要である。
【００９５】
また、初期化期間ａの終了後、必ずしも非表示期間ｃを設ける必要はなく、例えば図９に示すように、初期化期間ａと表示期間ｂとの間に非表示期間ｃを設けず、初期化期間ａの終了と共に例えば外部制御信号ＳＣＫを入力し始め、表示期間ｂにて電圧ＧＶＤＤが立ち上がるようにしてもよい。この場合、初期化期間ａでは電圧ＧＶＤＤはＧＮＤレベルであり、補助容量Ｃｓを介して画素部（液晶容量）Ｃｘｙに電圧が印加されることはない。また、表示期間ｂでは、データドライバ１２やゲートドライバ１３が駆動されており、画素部（液晶容量）ＣｘｙにＴＦＴを介して所望の電圧が印加されるため、電圧ＧＶＤＤが所定の電圧となって、補助容量ＣｓのＴＦＴ側とは反対側の電極に印加されても何ら問題は生じない。従来技術のように初期化期間ａおよび非表示期間ｃに画素部Ｃｘｙに不必要な電圧（表示電圧以外の電圧）が印加されることがないため、従来のような表示ムラやスジなどが表示画面上に現れることはなく、良好な表示状態とすることができる。なお、外部制御信号ＳＣＫおよび駆動開始制御信号ＧＥＮは、制御信号出力回路２Ａ，２Ｂにて出力制御することができる。
【００９６】
また、上記実施形態１，２では、チャージポンプ回路１４Ａおよび１４Ｂを動作させる外部制御信号として、データドライバ１３のクロック用として入力されている信号ＳＣＫを用いているが、これは一例であり、その他のチャージポンプ回路以外に用いられている信号を兼用してもよく、また、チャージポンプ回路の制御用に専用の制御信号を用意することも可能である。
【００９７】
また、上記実施形態１，２では、低温プロセスで作製されたポリシリコンを用いて、１枚のガラス基板上に全ての機能を作り込んだ場合を示しているが、例えば、データドライバ１２、ゲートドライバ１３およびチャージポンプ回路１４Ａまたは１４Ｂは、同一のガラス基板上に作製されたものでなくてもよく、外部ＩＣなどを利用してもよい。
【００９８】
さらに、液晶表示部１１の液晶表示モードが反射型表示モードを有する場合に対して不具合が発生しやすいと説明してきたが、これに限定されず、反射型表示モードを有していない、透過型表示装置においても、本発明を適用することは可能である。
【００９９】
なお、上記実施形態１，２では、制御信号出力回路２Ａまたは２Ｂは、チャージポンプ回路１４Ａまたは１４Ｂに駆動開始制御信号ＧＥＮを出力し、チャージポンプ回路１４Ａまたは１４Ｂは、初期化期間ａ後の表示期間ｂの開始タイミングに合わせて、駆動開始制御信号ＧＥＮに基づいて昇電圧出力を行うように構成したが、これに限らず、制御信号出力回路内に出力制御部を設けてチャージポンプ回路１４への外部制御信号ＳＣＫを出力制御するようにしてもよい。この場合、制御信号出力手段としての制御信号出力回路は、初期化期間ａ後の表示期間ｂの開始タイミングに合わせて、チャージポンプ回路１４に外部制御信号ＳＣＫを出力開始可能とし、チャージポンプ回路１４は外部制御信号ＳＣＫに基づいて昇電圧出力を行う。要は、初期化期間ａ後の表示期間ｂの開始タイミングに合わせて、チャージポンプ回路１４から昇電圧出力が出力開始されればよい。
【０１００】
なお、上記実施形態１では、図３に示すように入力制御部１４１はアンドゲート１４１ａのみで構成するようにしたが、これに限らず、例えば図１０に示すように入力制御部１４１として、アンドゲート１４１ａとインバータ１４１ｂにより構成することもできる。
【０１０１】
インバータ１４１ｂは、駆動開始制御信号ＧＥＮが“Ｌ”レベルであるときに反転して“Ｈ”レベルが出力される。これにより、アンドゲート１４１ａでは、外部制御信号ＳＣＫが“Ｌ”レベルであるときには“Ｌ”レベルの内部信号Ｃｉｎが出力され、外部制御信号ＳＣＫが“Ｈ”レベルであるときには“Ｈ”レベルの内部信号Ｃｉｎが出力される。また、インバータ１４１ｂは、駆動開始制御信号ＧＥＮが“Ｈ”レベルであるときに反転して“Ｌ”レベルが出力される。これにより、アンドゲート１４１ａでは、外部制御信号ＳＣＫが“Ｌ”レベルであっても“Ｈ”レベルであっても、“Ｌ”レベルの内部信号Ｃｉｎが出力される。
【０１０２】
また、入力制御部１４１として、アンドゲート１４１ａのみの図３の構成に代えて、駆動開始制御信号ＧＥＮにより入力を切り換えるスイッチング手段（例えば図７）を有するようにしてもよい。要するに、入力制御部１４１は、駆動開始制御信号ＧＥＮが”Ｌ”レベルおよび”Ｈ”レベルの一方のときにチャージポンプ部１４２が非アクティブとなる信号を内部信号Ｃｉｎとしてチャージポンプ部１４２に出力し、駆動開始制御信号ＧＥＮが”Ｌ”レベルおよび”Ｈ”レベルの他方のときに外部制御信号ＳＣＫをそのまま内部信号Ｃｉｎとしてチャージポンプ部１４２に出力すればよい。
【０１０３】
また、出力制御部１４３として、図７に示すスイッチング手段（制御スイッチ）１４３ａに代えて、駆動開始制御信号ＧＥＮおよび外部制御信号ＳＣＫがそれぞれ入力されるアンドゲートを有するようにしてもよい。要するに、出力制御部１４３は、駆動開始制御信号ＧＥＮが”Ｌ”レベルおよび”Ｈ”レベルの一方のときにグランドレベルの電圧を出力し、駆動開始制御信号ＧＥＮが”Ｌ”レベルおよび”Ｈ”レベルの他方のときにチャージポンプ部１４２からの昇電圧出力をそのまま出力すればよい。
【０１０４】
なお、上記実施形態１，２で説明したアクティブマトリクス型液晶表示装置およびその製造方法などの表示装置を、例えば携帯電話器、液晶テレビジョン装置およびパーソナルコンピュータなどの電子情報機器の表示画面部に適用することができて、電源投入時に液晶に不必要な電圧が印加されることを防いで、表示不具合を抑制して高品位のっ画像を得ることができるという本発明の目的を達成することができる。
【０１０５】
以上のように、本発明の好ましい実施形態１，２を用いて本発明を例示してきたが、本発明は、この実施形態１，２に限定して解釈されるべきものではない。本発明は、特許請求の範囲によってのみその範囲が解釈されるべきであることが理解される。当業者は、本発明の具体的な好ましい実施形態１，２の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【０１０６】
本発明は、複数の走査線と複数の信号線との各交叉部毎に画素部が配設され、この交叉部近傍の走査線がスイッチング素子の制御端子に接続され、この交叉部近傍の信号線がスイッチング素子を介して画素部に接続された表示部と、この表示部に、外部制御信号により電源電圧を所定の電圧に昇電圧して表示駆動用電圧として出力するチャージポンプ回路とを有する例えばアクティブマトリクス型液晶表示装置などの表示装置およびその駆動方法、これを表示画面部に用いた例えば携帯電話器、液晶テレビジョン装置およびパーソナルコンピュータなどの電子情報機器の分野において、電源投入時に液晶層に不必要な電圧が印加されることを防いで、電源投入時の表示不具合を抑制することができる。特に、反射型や微反射型、あるいは半透過型など、外光を利用して表示が行われる反射型表示モードを有する表示装置に有効であり、携帯型電子機器などの電子情報機器の表示装置として広く利用することができる。
【図面の簡単な説明】
【０１０７】
【図１】本発明のアクティブマトリクス型液晶表示装置の実施形態１における要部構成例を示すブロック図である。
【図２】図１のチャージポンプ回路の内部構成例を示すブロック図である。
【図３】図２の入力制御部の内部構成例を示す回路図である。
【図４】図１の制御信号出力部から液晶パネルに入力される各信号電圧、電源電圧、チャージポンプ回路の内部制御信号および出力電圧の信号波形図である。
【図５】本発明のアクティブマトリクス型液晶表示装置の実施形態２における要部構成を示すブロック図である。
【図６】図５のチャージポンプ回路の内部構成を示すブロック図である。
【図７】図６の出力制御部の内部構成例を示す回路図である。
【図８】図５の制御信号出力部から液晶パネルに入力される各信号電圧、電源電圧、チャージポンプ回路の内部制御信号および出力電圧の信号波形図である。
【図９】本発明のアクティブマトリクス型液晶表示装置の実施形態１および２とは別の実施形態における制御信号出力部から液晶パネルに入力される各信号電圧、電源電圧、チャージポンプ回路の内部信号およびその出力電圧の信号波形図である。
【図１０】図２の入力制御部の他の内部構成例を示す回路図である。
【図１１】従来のアクティブマトリクス型液晶表示装置の要部構成例を示すブロック図である。
【図１２】図１１の制御信号出力部から液晶パネルに入力される各信号電圧、電源電圧およびチャージポンプ回路の出力電圧の信号波形図である。
【図１３】図１１の画素部の基本構成例を示す回路図である。
【図１４】初期化期間における従来の液晶パネルの動作を説明するための各部の電圧レベルを示す図である。
【符号の説明】
【０１０８】
１、１Ａ、１Ｂ  液晶パネル
２、２Ａ、２Ｂ  制御信号出力部
１０、１０Ａ、１０Ｂ  アクティブマトリクス型液晶表示装置
１１  液晶表示部
１２  データドライバ（信号ドライバ）
１３  ゲートドライバ（走査ドライバ）
１４、１４Ａ、１４Ｂ  チャージポンプ回路
１１１  データライン（信号線）
１１２  ゲートライン（走査線）
１４１  入力制御部
１４１ａ  アンドゲート
１４１ｂ  インバータ
１４２  チャージポンプ部
１４３  出力制御部
１４３ａ スイッチング手段
【図１】
2005266017.tif 000005
【図２】
2005266017.tif 000006
【図３】
2005266017.tif 000007
【図４】
2005266017.tif 000008
【図５】
2005266017.tif 000009
【図６】
2005266017.tif 000010
【図７】
2005266017.tif 000011
【図８】
2005266017.tif 000012
【図９】
2005266017.tif 000013
【図１０】
2005266017.tif 000014
【図１１】
2005266017.tif 000015
【図１２】
2005266017.tif 000016
【図１３】
2005266017.tif 000017
【図１４】
2005266017.tif 000018